(57)【要約】   本発明のバケツは、第１底部の周囲から第１リムまで延伸する連続的な第１側壁によって画定された第１容量を含み、第１底部の周囲から第１リムの下方部分まで延伸する平坦部分を有する。第１側壁の平坦部分の内側表面は、塗装用ローラ・グリッドを形成するために型押しにより形成される。第２容量は、第２底部の周囲から第２リムまで延伸する連続的な第２側壁によって画定され、第２底部の周囲から、第１リムの下方部分に隣接する第２リムの下方部分まで延伸する平坦部分を有する。端部は、第２リムの下方部分と第１リムの下方部分とを結合する。
2008516750.tif 000002
【特許請求の範囲】
【請求項１】
第１底部の周囲から第１リムまで延伸する連続的な第１側壁によって画定された第１容量と、
前記第１底部の前記周囲から前記第１リムの下方部分まで延伸する平坦部分を含む連続的な第１側壁と、
塗装用ローラ・グリッドを形成するために型押しされた前記第１側壁の前記平坦部分の内部表面と、
第２底部の周囲から第２リムまで延伸する連続的な第２側壁によって画定された第２容量と、
前記第１リムの前記下方部分に隣接し、前記第２底部の前記周囲から前記第２リムの下方部分まで延伸する平坦部分を含む連続的な第２側壁と、
前記第２リムの前記下方部分と前記第１リムの前記下方部分とを結合する端部と、
から構成されることを特徴とするバケツ。
【請求項２】
前記第１リムおよび前記第２リムは、前記第２リムの前記下方部分および前記第１リムの前記下方部分の周辺に連続的な周縁を形成することを特徴とする請求項１記載のバケツ。
【請求項３】
前記第１底部は、前記第２底部から一定間隔で配置され、また、前記第１側壁の前記平坦部分は、前記第２側壁の前記平坦部分と分岐し、前記端部から前記第１底部および前記第２底部までそれぞれ分かれることを特徴とする請求項１記載のバケツ。
【請求項４】
前記端部は、塗装用ローラのハンドルを受け入れ、かつ支持するための、中心に位置する凹みを含むことを特徴とする請求項３記載のバケツ。
【請求項５】
前記下方リムと平行し、かつそれに近接する、前記第１側壁の前記平坦部分の前記内側表面から延伸するスクレーピング・リブをさらに含むことを特徴とする請求項１記載のバケツ。
【請求項６】
前記第２底部から延伸する少なくとも１つのディバイダ・ベースをさらに含むことを特徴とする請求項１記載のバケツ。
【請求項７】
前記少なくとも１つのディバイダ・ベースは、前記バケツの積載高よりも短い距離で第２リムの方向へ延伸することを特徴とする請求項６記載のバケツ。
【請求項８】
ディバイダ・パネルは、前記少なくとも１つのディバイダ・ベースに取り外し可能にはめ込まれ、前記第２容量を複数の区画に分割することを特徴とする請求項６記載のバケツ。
【請求項９】
第１底部の周囲から第１リムまで延伸する連続的な第１側壁によって画定された第１容量と、
前記第１底部の前記周囲から前記第１リムの下方部分まで延伸する平坦部分を含む連続的な第１側壁と、
塗装用ローラ・グリッドを形成するために型押しされた前記第１側壁の前記平坦部分の内側表面と、
第２底部の周囲から第２リムまで延伸する連続的な第２側壁によって画定された第２容量と、
前記第１リムの前記下方部分に隣接し、前記第２底部の前記周囲から前記第２リムの下方部分まで延伸する平坦部分を含む前記連続的な第２側壁と、
前記第２リムの前記下方部分および前記第１リムの前記下方部分を結合する端部と、
それぞれの前記下方部分に存在せず、前記第２リムの前記下方部分および前記第１リムの前記下方部分の周辺に連続的な周縁を形成する、第１リムおよび前記第２リムと、
バケツの積載高を画定する距離で、前記第１側壁および前記第２側壁に隣接する連続的な周縁から延伸するカラーと、
前記積載高よりも大きな距離で、前記連続的な周縁の下方に位置する前記端部と、
から構成されることを特徴とするバケツ。
【請求項１０】
前記第１底部は、前記第２底部から一定間隔で配置され、また、前記第１側壁の前記平坦部分は、前記第２側壁の前記平坦部分と分岐し、前記端部から前記第１底部および前記第２底部までそれぞれ分かれることを特徴とする請求項９記載のバケツ。
【請求項１１】
前記端部は、塗装用ローラのハンドルを受け入れ、かつ支持するための、中心に位置する凹みを含むことを特徴とする請求項９記載のバケツ。
【請求項１２】
前記下方リムと平行し、かつそれに近接する、前記第１側壁の前記平坦部分の前記内側表面から延伸するスクレーピング・リブをさらに含むことを特徴とする請求項９記載のバケツ。
【請求項１３】
前記バケツの積載高と同一または短い距離で、前記第２底部から延伸する複数のディバイダ・ベースをさらに含むことを特徴とする請求項９記載のバケツ。
【請求項１４】
ディバイダ・パネルは、前記複数のディバイダ・ベースに取り外し可能にはめ込まれ、前記第２容量を複数の区画に分割することを特徴とする請求項１３記載のバケツ。
【請求項１５】
第１底部の周囲から第１リムまで延伸する連続的な第１側壁によって画定された第１容量と、
前記第１底部の前記周囲から前記第１リムの下方部分まで延伸する平坦部分を含む連続的な第１側壁と、
第２底部の周囲から第２リムまで延伸する連続的な第２側壁によって画定された第２容量と、
前記第１リムの前記下方部分に隣接し、前記第２底部の前記周囲から前記第２リムの下方部分まで延伸する平坦部分を含む連続的な第２側壁と、
前記第２リムの前記下方部分と前記第１リムの前記下方部分とを結合する端部と、
それぞれの前記下方部分に存在せず、前記第２リムの前記下方部分および前記第１リムの前記下方部分の周辺に連続的な周縁を形成する、第１リムおよび前記第２リムと、
バケツの積載高を画定する距離で、前記第１側壁および前記第２側壁に隣接する連続的な周縁から延伸するカラーと、
前記積載高よりも大きな距離で、前記連続的な周縁の下方に位置する前記端部と、
から構成されることを特徴とするバケツ。
【請求項１６】
前記第１底部は、前記第２底部から一定間隔で配置され、また、前記第１側壁の前記平坦部分は、前記第２側壁の前記平坦部分と分岐し、前記端部から前記第１底部および前記第２底部までそれぞれ分かれることを特徴とする請求項１５記載のバケツ。
【請求項１７】
前記バケツの積載高と同一または短い距離で、前記第２底部から延伸する複数のディバイダ・ベースをさらに含むことを特徴とする請求項１６記載のバケツ。
【請求項１８】
ディバイダ・パネルは、前記複数のディバイダ・ベースに取り外し可能にはめ込まれ、前記第２容量を複数の区画に分割することを特徴とする請求項１７記載のバケツ。
【請求項１９】
前記第１側壁の前記平坦部分の内側表面は、塗装用ローラ・グリッドを形成するために型押しされることを特徴とする請求項１８記載のバケツ。
【発明の詳細な説明】
【技術分野】
【０００１】
本発明は容器に関する。より詳しくは、本発明はバケツおよび塗装用付属品に関する。
【背景技術】
【０００２】
流体を運搬するための容器として古くから知られているもののうち、特にバケツは何世紀にもわたって周知である。ペンキまたは洗浄液のような流体は、しばしば、バケツのような容器で運ばれ、塗布される。多くの場合、容器の使用を必要とする塗装作業その他の作業には、塗装用ローラ、刷毛、および他のツールのような付加的な用具が必要である。塗装のような流体の提供をしながら、他の道具にも常に注意を払わなければならないのは不便である。ある道具が必要なときに、それを置き忘れてくる場合もあり、また、それが別の場所に収納されている場合もある。さらに、塗装工程において特に気付く他の問題は、使用者が、ローラまたは刷毛のいずれかを使用している間に、使用していない方の用具をどこに格納するべきかという問題である。
【０００３】
さらに、今日の世界では、効率の良い配送のために、多量のアイテムを輸送することが極めて重要である。したがって、小さなスペースに複数のアイテムを収容できることが非常に望ましい。したがって、積載高(stacking height)については、十分な考慮が必要である。特殊な容器は特別な内部構造をしているので、一般的には、使用するスペースを少なくするために積み重ねることができない。
【０００４】
したがって、前述のような先行技術が本来的に有する欠陥およびその他の欠陥を改良することは非常に有利であろう。
【発明の開示】
【０００５】
簡潔に述べると、本発明の好適な実施例に従って本発明の所要の目的および利点を達成するために提供されるバケツは、第１底部の周囲から第１リムまで延伸する連続的な第１側壁によって画定された第１容量を含み、第１底部の周囲から第１リムの下方部分まで延伸する平坦部分を有する。第２容量は、第２底部の周囲から第２リムまで延伸する連続的な第２側壁によって画定され、第２底部の周囲から、第１リムの下方部分に隣接する第２リムの下方部分まで延伸する平坦部分を有する。端部は、第２リムの下方部分と第１リムの下方部分とを結合する。
【０００６】
本発明の他の側面では、第１側壁の平坦部分の内側表面は、塗装用ローラ・グリッドを形成するために型押しされる。さらに、第２底部から延伸する少なくとも１つのディバイダ・ベースを提供することができる。少なくとも１つのディバイダ・ベースは、第２リムの方向へバケツの積載高よりも短い距離で延伸する。ディバイダ・パネルは、少なくとも１つのディバイダ・ベースに取り外し可能にはめ込まれ、第２容量を複数の区画に分割する。
【０００７】
さらに他の側面では、カラーは、バケツの積載高を画定する距離で、第１側壁および第２側壁に隣接する連続的な周縁から延伸する。
【０００８】
本発明の特定の目的および利点は、以下の好適な実施例の詳細な説明を図面と共に読むことにより、当業者にとって容易に明らかになるであろう。
【発明を実施するための最良の形態】
【０００９】
図面に関し、いくつかの図の全体にわたって、同様の参照番号は対応する要素を示す。先ず注目すべきは、図１、図２、図３、および図４であり、それらは一般に参照番号１０が付されたバケツを示す。バケツ１０は、ペンキ、ワニス、ポリウレタン等の流体を塗布するような多様な作業での使用を意図しているが、バケツ１０はまた、清掃作業、メンテナンスなどで一般的に用いられるバケツとしても使用できることが、当業者によって理解されるであろう。バケツ１０は、多様な方法で製作することができるが、好適な方法には、プラスチック材料からの成形が含まれる。プラスチック材料は好適であるが、金属、セラミックス等の他の材料からバケツ１０を形成することも可能であることが理解されるであろう。
【００１０】
バケツ１０は、第１底部１６の周囲１５から第１リム１８まで延伸する連続的な第１側壁１４によって画定された第１容量(volume)１２を含む。連続的な第１側壁１４は、その一部として、第１底部１６の周囲１５から第１リム１８の下方部分２０まで延伸する平坦部分１９を含む。下方部分２０は、第１リム１８の残存部（凹所下部）に位置する。必要であれば、連続的な第１側壁１４は、さらに、下方部分２０の反対側の第１リム１８内に形成された注ぎ口２１を含んでもよい。以下で詳細に説明されるように、注ぎ口２１によって、収納または輸送のためにバケツが積み重ねられたときに、バケツを分離しやすくする。
【００１１】
バケツ１０は、さらに、第２底部２６の周囲２５から第２リム２８まで延伸する連続的な第２側壁２４によって画定された第２容量２２を含む。連続的な第２側壁２４は、その一部として、第２底部２６の周囲２５から、第１リム１８の下方部分２０に隣接する第２リム２８の下方部分３０まで延伸する平坦部分２９を含む。下方部分３０は、第１リム２８の残存部（凹所下部）に位置する。端部３２は、第２リム２８の下方部分３０と第１リム１８の下方部分２０とを結合する。第１容量１２および第２容量２２は用途に応じて変更可能であるが、図からも明らかなように、一般的に第２容量２２は第１容量１２より実質的に小さい。
【００１２】
特に図１および図２に関し、第１リム１８および第２リム２８は、第２リム２８の下方部分３０および第１リム１８の下方部分２０の周辺に連続的な周縁３５を形成する。したがって、連続的な周縁３５は、下方部分２０，３０から一定間隔の高さで、バケツ１０を完全に包囲する。換言すれば、第１リム１８および第２リム２８は、それぞれ下方部分２０，３０が欠如しているが、第１容量１２および第２容量２２の周辺に連続的な周縁３５を形成する。第１容量１２および第２容量２２は、連続的な周縁内で、平坦部分１９および平坦部分２９およびそれぞれの下方部分２０，３０によって分離される。平坦部分１９および平坦部分２９は、端部３２から分岐し、第１容量１２および第２容量２２をさらに分離する。第１底部１６は、ほぼ平行の関係に、第２底部２６から一定の間隔を保つ。第１容量１２および第２容量２２は大きさが異なるので、第１底部１６および第２底部２６は一般に同一平面上ではなく、第２底部２２が連続的な周縁３５により近接するように配置される。第１側壁１４の平坦部分１９は、端部３２で第２側壁２４の平坦部分２９と分岐し、第１底部１６および第２底部２６のそれぞれに分かれる。
【００１３】
特に図１および図３に関し、カラー３８は、第１側壁１４および第２側壁２４に隣接する連続的な周縁３５から、第１底部１６および第２底部２６向かって延伸する。カラー３８は、バケツ１０に剛性および強度を提供する。端部３２で結合された平坦部分１９，２９は、バケツ１０に更なる剛性および構造的支持を提供する。ハンドル３９は、カラー３８で提供され、かつ、連続的な周縁３５に結合することができる。ハンドル３９は、一般にバケツ構造で見られるものよりも大きいサイズで形成してもよい。より大きいサイズであることによって、ハンドル３９は、図１に示すような直立した位置から、図８および図１０に示すようなバケツ１０の正面の低い位置まで移動可能になる。低い位置にハンドル３９を置くことによって、複数のバケツ１０を積み重ねることができる。
【００１４】
特に図４に関し、少なくとも１つのディバイダ・ベース４０、できれば２つのディバイダ・ベースが第２底部２６から延伸する。ディバイダ・ベース４０は、積み重ねに適するように第２底部２６から上向きに短い距離だけ延伸するが、それについては後述する。加えて図６を参照し、ディバイダ・パネル４２は、取り外しができるように各ディバイダ・ベース４０にはめ込まれ、第２容量２２を複数の区画に分割する。ディバイダ・パネル４２は、第２側壁２４と平坦部分２９との間に挿入され、ディバイダ・ベース４０にはめ込まれる。図７に見られるように、各ディバイダ・パネル４２は、その下端に形成された溝４４を有する。ディバイダ・ベース４０の上端は、溝４４内に受け入れられ、これによってディバイダ・パネル４２がディバイダ・ベース４０にしっかりと装着される。平坦部分２９とは反対側の第２側壁２４内に溝４６を形成することにより、付加的な安定性および剛性を提供することができる。
【００１５】
図２、図５、および図６に示すように、好適な実施例において、第１側壁１４の平坦部分１９の内側表面は、塗装用ローラ・グリッド５０を形成するために型押しされる。塗装用ローラ・グリッド５０は、ローラブラシから余分な塗料を取り除くために使用される従来のローラ用網(grate)と同様の方法で使用される。一般的に、ローラ用網は傾斜させて使用する。塗装用ローラ・グリッド５０は、使用のために、端部３２から分岐する平坦部分１９の形によって傾斜がつけられる。塗装用ローラ・グリッド５０は、バケツ１０の成形中に形成することができる。あるいは、プラスチック以外の材料が使用される場合は、それらの材料に適した型押し技術が使用されるであろう。
【００１６】
ここで図５および図６に関し、追加の付属物をバケツ１０に提供することができる。特に、端部３２上に、向かい合った終端間の中央に位置するように形成された切欠部５２を形成することができる。切欠部５２は、図８でより詳細に見ることができる。平坦部分１９，２９の分岐は比較的厚い端部３２になる。切欠部５２は、塗装用ローラのハンドルが端部３２と結合し、これを掛けることができるように、塗装用ローラのハンドルと結合する狭い部分５３を提供するように形成される。他の特徴は、下方部分２０と平行であり、かつこれに近接する、第１側壁１４の平坦部分１９の内側表面から延伸するスクレーピング・リブ５４である。スクレーピング・リブ５４によって、余分な塗料を必要に応じて塗装用刷毛から除去することができる。さらに他の特徴は、下方部分３０と反対側の第２リム２８内に形成された湾入５６であり、下向きに第２側壁２４内へ延伸する。湾入５６は、塗装用刷毛のようなものを、第２容量２２内で直立状態のまま静止することができる。例えば、刷毛は、湾入５６内にその柄を置くことによって、直立した状態で維持される。
【００１７】
次に、図８、図９、および図１０に関し、バケツ１０は、非常に低い積載高を有するように意図されているので、収納または輸送のために複数のバケツ１０を積み重ねることが可能である。積み重ねたとき、第１側壁１４および第２側壁２４は、それぞれ第１容量１２および第２容量２２内にぴったりと重なる。これは、ディバイダ・パネル４２が取り外せること、および、ディバイダ・ベース４０が、積載高よりも大きな距離で隆起していないという事実によって可能となる。バケツ１０の積載高は、カラー３８の幅によって本質的に制御される。図９に見られるように、カラー３８の下端は、その下に置かれたバケツの連続的な周縁３５上に載る。したがって、好適な実施例では、バケツ１０の積載高はカラー３８の幅（高さ）によって画定される。当業者であれば、バケツ１０の積載高がカラー３８の幅より大きくなることを望む場合は、ディバイダ・ベース４０の高さを増加させることにより増加することができることを理解するであろう。さらに、下方部分２０，３０を連結する端部３２は、バケツ１０の積載高と同じか、または大きい距離で連続的な周縁３５の高さよりも下方へ凹んでいることが理解できる。積み重ねられたとき、バケツ１０がぴったりと重なることよって生じる部分は、注ぎ口を含む多様な要素によって除かれ、バケツ１０の分離を可能にする。
【００１８】
ここで説明目的のために選択された実施例に対する多様な変更および修正は、当業者にとって容易に想起できるであろう。かかる修正および変更は、本発明の精神から逸脱しない限り、その範囲内に含まれることを意図しており、それは請求項の公正な解釈によってのみ評価される。
【００１９】
本発明は、当業者が理解し、かつ実施できるように十分に明確かつ簡潔な用語で記述された。
【図面の簡単な説明】
【００２０】
【図１】本発明に従ったバケツの透視図である。
【図２】図１のバケツの平面図である。
【図３】図１のバケツの側面図である。
【図４】図３のバケツの断面図である。
【図５】図１のバケツの部分透視図である
【図６】ディバイダ・パネルの挿入を示す図１のバケツの部分透視図である。
【図７】本発明に従ったディバイダ・パネルの拡大透視図である。
【図８】塗装用ローラのための切欠部の拡大断面図である。
【図９】本発明に従った１組のバケツを積み重ねた正面図である。
【図１０】図９の積み重ねられたバケツの側面の断面図である。
【図１１】図９の積み重ねられたバケツの分解透視図である。
【図１】
2008516750.tif 000003
【図２】
2008516750.tif 000004
【図３】
2008516750.tif 000005
【図４】
2008516750.tif 000006
【図５】
2008516750.tif 000007
【図６】
2008516750.tif 000008
【図７】
2008516750.tif 000009
【図８】
2008516750.tif 000010
【図９】
2008516750.tif 000011
【図１０】
2008516750.tif 000012
【図１１】
2008516750.tif 000013
【国際調査報告】
2008516750.tif 000014
2008516750.tif 000015